(57)【要約】【課題】部品点数を極力少なくすること。【解決手段】表面から裏面に亘って摘み部材及びサムターン軸用の軸孔を有する固定筒の表面に摘み部材回転規制用のロック溝を形成し、このロック溝、前記サムターン軸に形成した挿入孔及び前記大軸孔に摘み部材を軸方向に移動可能に組込み、錠箱側からの動力により前記サムターン軸が回転すると、摘み部材は、サムターン軸と該摘み部材との摩擦係合部分を介してかつサムターン軸の前記挿入孔に内装した付勢バネのバネ力に抗して外方向に押し出され、その摘み部分が前記ロック溝から外れる防犯サムターン。【選択図】図６
2009035913.tif 000002
【特許請求の範囲】
【請求項１】
表面から裏面に亘って摘み部材及びサムターン軸用の軸孔を有する固定筒の表面に摘み部材回転規制用のロック溝を形成し、このロック溝、前記サムターン軸に形成した挿入孔及び前記軸孔に摘み部材を軸方向に移動可能に組込み、錠箱側からの動力により前記サムターン軸が回転すると、前記摘み部材は、サムターン軸と該摘み部材との摩擦係合部分を介してかつサムターン軸の前記挿入孔に内装した付勢バネのバネ力に抗して外方向に押し出され、その摘み部分が前記ロック溝から外れる防犯サムターン。
【請求項２】
請求項１に於いて、摘み部材は、固定筒のロック溝に係合する摘み部分と、この摘み部分の係合内端部に垂直壁を介して後方に連結形成され、かつ固定筒の大軸孔に嵌合する筒状部分と、前記垂直壁の中央部から前記筒状部分から食み出すように延在してサムターン軸の挿入孔に嵌入する軸部から成り、この軸部の挿入端部に付勢バネが設けられていることを特徴とする防犯サムターン。
【請求項３】
請求項１に於いて、サムターン軸は、カムを有するローター部と、このローター部の後側に連結形成された入出力軸部とを有し、挿入孔の内部に付勢バネの内端部を受けるバネ端支持壁が設けられていることを特徴とする防犯サムターン。
【請求項４】
請求項３に於いて、サムターン軸のローター部の先端部には、センタリングバネを装着するための環状部分が周設されていることを特徴とする防犯サムターン。
【発明の詳細な説明】
【技術分野】
【０００１】
本発明は、摘み部材回転規制用のロック構造を備えた防犯サムターンに関する。
【背景技術】
【０００２】
特許文献１には、「固定筒内に回転可能に内装され摘み部材並びにサムターン軸と共に回転可能なローター、ローターと交差するように固定筒内に配設され、かつ固定筒の係合溝と係脱する可動障害子、可動障害子に内端部側の脚部が係合し、先端部側のボタン状入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターン」が開示されている。
【０００３】
上記構成に於いて、摘み部材の規制（ロック）を解く場合には、ボタン状入力部を押圧すると、揺動レバーが支軸を支点に解消することから、可動障害子が固定筒の係合溝からは離れる。したがって、揺動レバーのボタン状入力部を押しながら摘み部材を回転することができるので、防犯サムターンとしての機能を発揮する。
【０００４】
しかしながら、特許文献１は、摘み側の入力部材及び作動障害子の部品点数が多くなる、入出力軸（ダルマ側）からサムターン軸を介して動かされる部材の数が多く成るといったような問題点があった。そこで、現在、部品点数を極極少なくするという観点から、また、揺動レバー方式以外の視点から、新規な方式の防犯サムターンの出現が要望されている。
【特許文献１】特開２００５−４２４９８号公報
【発明の開示】
【発明が解決しようとする課題】
【０００５】
本発明の所期の目的は、摘み側の入力部材、作動障害子等の部品点数を少なくすることである。第２の目的は、組み合わせが容易であることである。
【課題を解決するための手段】
【０００６】
本発明の防犯サムターンは、表面から裏面に亘って摘み部材及びサムターン軸用の軸孔を有する固定筒の表面に摘み部材回転規制用のロック溝を形成し、このロック溝、前記サムターン軸に形成した挿入孔及び前記軸孔に摘み部材を軸方向に移動可能に組込み、錠箱側からの動力により前記サムターン軸が回転すると、前記摘み部材は、サムターン軸と該摘み部材との摩擦係合部分を介してかつサムターン軸の前記挿入孔に内装した付勢バネのバネ力に抗して外方向に押し出され、その摘み部分が前記ロック溝から外れることを特徴とする。
【０００７】
上記構成に於いて、摘み部材は、固定筒のロック溝に係合する摘み部分と、この摘み部分の係合内端部に垂直壁を介して後方に連結形成され、かつ固定筒の大軸孔に嵌合する筒状部分と、前記垂直壁の中央部から前記筒状部分から食み出すように延在してサムターン軸の挿入孔に嵌入する軸部から成り、この軸部の挿入端部に付勢バネが設けられている。
【０００８】
また、サムターン軸は、カムを有するローター部と、このローター部の後側に連結形成された入出力軸部とを有し、挿入孔の内部に付勢バネの内端部を受けるバネ端支持壁が設けられている。さらに、サムターン軸のローター部の先端部には、センタリングバネを装着するための環状部分が周設されている。
【発明の効果】
【０００９】
（ａ）摘み側の入力部材、作動障害子等の部品点数を少なくすることができる。
（ｂ）各部材の組み合わせが容易である。
（ｃ）実施例によっては、摘み部材を初期位置へ確実に戻すためのセンタリングバネを簡単に装着することができる。
【発明を実施するための最良の形態】
【００１０】
以下、図１乃至図１１に示す本発明を実施するための最良の形態により説明する。
【００１１】
（１）発明の実施の環境
発明の実施の環境は、本発明の防犯サムターン１は扉の屋内面側にのみ取付けられるものではなく、扉の屋外面側にも取付け可能である。望ましくは扉の屋内面側に固定し、一方、屋外面側にはシリンダ錠を固定する。以下、本発明の特定要件について順次説明する。
【００１２】
（２）特徴部分―中核
図１は防犯サムターン１の正面側からの斜視図、図２は防犯サムターン１の背面側からの斜視図である。図３はサムターン軸２１と摘み部材１１が初期位置（固定筒にロックされている状態）を示す。一方、図４はサムターン軸２１が矢印Ａ方向に回転すると摘み部材１１が矢印Ｂ方向へ水平移動することを示す。本実施例のサムターン軸２１と該摘み部材１１との摩擦係合部分２６、１８は、サムターン軸２１のローター部２２の先端部に突出形成したカム２６と、該カムに押圧される傾斜面１８であり、サムターン軸２１の回転力を摘み部材１１の挿入軸部１５の外方向に変換させる機能を有する。
【００１３】
したがって、サムターン軸２１が所定量回転すると、摘み部材１１は付勢バネ１６のバネ力に抗して、かつ固定筒２のロック溝５の内壁面に案内されながら外方向に移動し、該ロック溝５からの規制が解かれる（図５参照）。
【００１４】
（３）固定筒２
図６は防犯サムターン（以下、「サムターン」という）１の縦断面説明図、図７は水平断面説明図、そして、図８は固定筒２の正面視側からの斜視図である。これらの図面から明らかなように、本実施例の固定筒２は、表面２ａから裏面２ｂに亘って摘み部材１１及びサムターン軸２１用の大・小の軸孔３、４を有し、該固定筒２の表面２ａには、例えばサムターン軸２１用の大軸孔（大嵌合孔）３と対して水平方向に交差する横向き凹所形状のロック溝（係止溝）５が形成されている。
【００１５】
このロック溝５は、初期位置（ロック位置）に於いて、摘み部材１１の回転をロックする摘み部材回転規制用のロック手段である。
【００１６】
ここで、図２又は図７を参照にして、サムターン１の固定筒２の構造について付言する。符号６は図示しない扉の内壁面に内周面が当接する台形状取付けベース、７は取付けベース６の端面に突出形成されかつ扉の開口に嵌め込まれる小径筒状部である。
【００１７】
しかして、小径筒状部７の外周の左右部位には、サムターン１取付け用のネジ孔８を有する取付け部が連設形成されている。前記ネジ孔８は、ロック溝５の左右の底壁内面から小径筒状部７の後端面に亘って貫通している（図２参照）。
【００１８】
また、小径筒状部７の後端面寄りの内部には、サムターン軸用の小軸孔４を有する環状支持壁９が周設されている（図７参照）。その他、固定筒２は適宜箇所に補強リブを有している。
【００１９】
（４）摘み部材１１
摘み部材１１は、固定筒２のロック溝５に係合する所定形状（例えば板状）の摘み部分１２と、この摘み部分１２の係合内端部１２ａに円形の垂直壁１３を介して後方に連結形成され、かつ固定筒２の大軸孔３に嵌合する筒状部分１４と、前記垂直壁１３の内壁の中央部から前記筒状部分１４から食み出すように水平に延在して該サムターン軸２１の挿入孔２９にスライド自在に挿入する軸部１５から成る。
【００２０】
しかして、前記軸部１５は長杆状に形成され、後述するサムターン軸２１のローター部２２に嵌挿される大径軸部１５ａと、この大径軸部１５ａに連設してサムターン軸２１の入出力軸部２３に嵌入される小径の挿入端部１５ｂとから成り、前記挿入端部１５ｂに付勢バネ１６が巻装されている。
【００２１】
そして、付勢バネ１６は、挿入端部１５ｂの内周のメネジと螺合するバネ端支持具１７に支持されている。このように、本実施例の引回し式の摘み部材１１は、固定筒２のロック溝５、サムターン軸２１に形成した挿入孔２９及び固定筒２の大軸孔３に組込まれている。
【００２２】
図９は挿入端部１５ｂ側から見た摘み部材１１の全体の斜視図である。図９、図３、図４を参照にして、摘み部材１１の筒状部分１４に形成した摩擦係合部分２６、１８の一方を説明する。本実施例では、サムターン軸２１のローター部２２の先端部の左右部位に山形形状のカム２６がそれぞれ突出形成されていることから、摘み部材１１の筒状部分１４の対応する左右部位に外拡形状の傾斜面（摩擦面）１８を形成している。
【００２３】
付言すると、摘み部材１１の筒状部分１４の左右部位は、それぞれ横向きＶ字形状に切欠され、これらの受け傾斜面１８がサムターン軸に形成した突起状のカムとの摩擦抵抗により、サムターン軸の回転力を軸方向（摘み部材１１を押し出す方向）の押出力に変換する。
【００２４】
また、摘み部材１１の筒状部分１４の内周面の適宜箇所には、例えば左右の摩擦係合部分１８の間に相当する一方の弧状壁の内壁面に、左右に係合端面１９ａ、１９ｂを有する弧状案内部（弧状切欠部分）１９が形成されている。さらに、筒状部分１４の他方の弧状壁の内壁面には、摘みセンタリング用舌片２０が突設されている。
【００２５】
（５）サムターン軸２１
図１０はサムターン軸２１の先端部（前部）から見た斜視図である。図６及び図７にはサムターン軸２１の断面構造が示されている。本実施例のサムターン軸２１は、例えば図７で示すように、固定筒２の小軸孔４に支承される略中心部を基準として、固定筒２の環状支持壁９よりも前側を大径筒状の「ローター部２２」とし、一方、環状支持壁９よりも後側を小径筒状の「入出力軸部２３」と位置付けることができる。
【００２６】
サムターン軸２１のローター部２２の先端面から入出力軸部２３の後端面に至る外周壁は断面段差状され、また、止め具２４用の周溝等が適宜に形成されている。
【００２７】
さて、図１０で示すように、筒状のローター部２２は、外周に鍔部２５が周設され、該鍔部２５の左右部位に先端方向に「く」字形状に突出する一対のカム２６が設けられている。これらの左右一対のカム２６が摩擦係合部分の他方に相当する。
【００２８】
また、ローター部２２は、左右のカム２６の間であって、鍔部２５の下位或いは上位に突起状の端係合部２７を有すると共に、鍔部２５の上位或いは下位にサムターン軸センタリング用舌片２８等を有している。
【００２９】
前記端係合部２７は、摘み部材１１の弧状案内部１９の係合端面１９ａ、１９ｂに選択的に係合し、摘み部材１１のロック解除時、サムターン軸と一緒に摘み部材１１を回転させる役割を果す。なお、符号２９はサムターン軸の挿入孔である。この挿入孔２９の内部に付勢バネの内端部を受けるバネ端支持壁３０が設けられている。
【００３０】
ところで、図１１は、本発明の限定要件ではないが、摘み部材１１を回転操作した場合に於いて、該摘み部材１１とサムターン軸の両部材を初期位置（ロック位置）に戻すためのセンタリング機構（摘み部材１１のセンター位置とサムターン軸のそれとを一致させる手段）を示す。
【００３１】
本実施例のセンタリング機構は、前述した摘みセンタリング用舌片２０と、サムターン軸センタリング用舌片２８とを含み、さらにサムターン軸２１のローター部２２に設けたセンタリングバネ３５も含む。
【００３２】
後者のセンタリングバネ３５は、例えばローター部２２の先端部に環状部分（環状凹所）３６を周設し、該環状部分３６にセンタリングバネ（例えばねじりバネ）３５を嵌め込み、その交差する支持端部に支持ローラ３７をそれぞれ取付ける。そして、前記支持ローラ３７を、摘みセンタリング用舌片２０とサムターン軸センタリング用舌片２８に対して挟持状態に当接させる。
【００３３】
（６）主な作用
錠箱側からの動力により、サムターン軸２１が回転すると、摘み部材１１は、サムターン軸２１と該摘み部材１１との摩擦係合部分２６、１８を介して、かつサムターン軸２１の挿入孔２９に内装した付勢バネ１６のバネ力に抗して外方向に押し出され、その摘み部分１４が固定筒２の表面２ａのロック溝５から外れる（ロック解消）。
【００３４】
したがって、サムターン軸２１と一緒に摘み部分１２が共働回転する。なお、室内側からは、摘み部材１１を手前に引いてロックを解き、その状態で所定方向に回すこともできる。
【実施例】
【００３５】
サムターン軸２１と該摘み部材１１との摩擦係合部分２６、１８は、任意に設計変更可能である。例えば摘み部材側を突状のカム２６とし、サムターン軸側を凹所状の傾斜面１８とする例である。
【産業上の利用可能性】
【００３６】
本発明は、主に錠前や建具の業界で利用される。
【図面の簡単な説明】
【００３７】
図１乃至図１１は本発明の最良の実施形態を示す各説明図。
【図１】正面側からの斜視図。
【図２】背面側からの斜視図。
【図３】固定筒を省略した要部の斜視図（ロック位置の状態）。
【図４】固定筒を省略した要部の斜視図（ロック解錠状態）。
【図５】ロック解錠状態の正面側からの斜視図。
【図６】縦断面概略説明図。
【図７】横断面概略説明図。
【図８】固定筒の正面側からの斜視図。
【図９】摘み部材の軸部側からの斜視図。
【図１０】サムターン軸のカム側からの斜視図。
【図１１】要部とセンタリング手段を示す概略説明図。
【符号の説明】
【００３８】
１…防犯サムターン、２…固定筒、２ａ…表面、２ｂ…裏面、３…大軸孔、４…小軸孔、５…ロック溝、６…取付けベース、７…小径筒状部、８…ネジ孔、９…環状支持壁、１１…摘み部材、１２…摘み部分、１２ａ…係合内端部、１３…垂直壁、１４…筒状部分、１５…軸部、１５ａ…大径軸部、１５ｂ…小径の挿入端部、１６…付勢バネ、１７…バネ端支持具、１８…傾斜面（摩擦面）、１９…弧状案内部（弧状切欠部分）、１９ａ、１９ｂ…係合端面、２０…摘みセンタリング用舌片、２１…サムターン軸、２２…ローター部、２３…入出力軸部、２４…止め具、２５…鍔部、２６…カム、２７…端係合部、２８…サムターン軸センタリング用舌片、２９…サムターン軸の挿入孔、３０…バネ端支持壁、３５…センタリングバネ、３６…環状部分（環状凹所）、３７…支持ローラ。
【図１】
2009035913.tif 000003
【図２】
2009035913.tif 000004
【図３】
2009035913.tif 000005
【図４】
2009035913.tif 000006
【図５】
2009035913.tif 000007
【図６】
2009035913.tif 000008
【図７】
2009035913.tif 000009
【図８】
2009035913.tif 000010
【図９】
2009035913.tif 000011
【図１０】
2009035913.tif 000012
【図１１】
2009035913.tif 000013